(57)【要約】【課題】潜り戸付き開閉装置において、潜り戸が開放状態での開閉装置の開閉動による危険防止と開閉装置の破損防止を図るようにする。【解決手段】潜り戸付き開閉装置において、該開閉装置は潜り戸の閉鎖姿勢では開閉体の昇降動を許容し、潜り戸の開放姿勢では開閉体の昇降動を規制する昇降規制手段を設けた。【選択図】  図４
2008208682.tif 000002
【特許請求の範囲】
【請求項１】
左右方向長尺の板体を複数枚上下方向に連結してなる開閉体を左右に立設したガイドレール間を上下昇降して躯体開口部を開閉するように構成するとともに前記開閉体には開閉回動可能な扉体を設けた潜り戸付き開閉装置であって、該開閉装置は前記扉体の閉鎖姿勢では開閉体の昇降動を許容し、扉体の開放姿勢では開閉体の昇降動を規制する昇降規制手段が設けられていることを特徴とする潜り戸付き開閉装置。
【請求項２】
前記昇降規制手段は、扉体の開閉動作に連動して出没自在なロッドとガイドレールに設けられ上記ロッドが係止可能なロッド受部とで構成されていることを特徴とする請求項１記載の潜り戸付き開閉装置。
【発明の詳細な説明】
【技術分野】
【０００１】
本発明は、建物の躯体開口部に設置されるシャツター、オーバーヘッドドア等の開閉装置の技術分野に属するものである。
【背景技術】
【０００２】
従来、建物の躯体開口部にシャツターやオーバーヘッドドア等の開閉装置を設け、該開閉装置の開閉体を開閉することで大型物の通過を可能にするようにしたものがある。このようなものにおいて、例えば人が外部から建物内に入ろうとする場合にも開閉体を開放する必要があるため開閉操作が煩わしいばかりか必要以上に大きな開放空間が形成されることとなって空調エネルギーの損失を招くこととなってしまう。そこで、このような事態を回避するため、開閉装置に隣接した躯体部分に潜り戸を設けて人の通行等には該潜り戸を使用することが行われているが、この場合は躯体部分に潜り戸をあらためて設置する必要があり、またそのぶん開閉装置の幅が小さくなってしまうこととなる。
【０００３】
そこで、実開平６−４０２９２号公報に示されるように開閉体に潜り戸を設けるようにしたものが提唱されている。このものは、シャッターの一側部に人が出入り可能な開口部を形成し、該開口部には巻き上げ可能に構成した非常扉を設けるとともに該非常扉を閉鎖方向に付勢するようにしたものである。
【特許文献１】実開平６−４０２９２号公報
【発明の開示】
【発明が解決しようとする課題】
【０００４】
ところで、開閉体に潜り戸を設けるようにした場合には、潜り戸を確実に閉鎖状態にして開閉体の開閉動作をさせないと潜り戸の半開き状態によって周辺に危険領域が生じたり開放途中で潜り戸が開閉装置上部に当接して破損したりして開閉体の開放動作に支障をきたすことになる。そこで上記特許文献１のものは、潜り戸にバネ付きヒンジによる付勢力で閉鎖状態にするようにしているが、バネの付勢力が弱いと開閉体の開閉振動や衝撃で潜り戸がばたつき、付勢力を強くすればばたつきは防止できるものの潜り戸の開閉が重くなってしまうこととなり付勢力の調整は容易でなく、また潜り戸が開放状態でも開閉体の開閉をすることができてしまって叙述の課題を解消することができない。
【０００５】
本発明は、潜り戸の閉鎖姿勢では開閉体の昇降動を許容するが、開放姿勢では開閉体の昇降動を規制して上記課題を解決するようにしたものである。
【課題を解決するための手段】
【０００６】
本発明は、叙述の如き実情に鑑み、これらの課題を解決することを目的として創作されたものであって、左右方向長尺の板体を複数枚上下方向に連結してなる開閉体を左右に立設したガイドレール間を上下昇降して躯体開口部を開閉するように構成するとともに前記開閉体には開閉回動可能な扉体を設けた潜り戸付き開閉装置であって、該開閉装置は前記扉体の閉鎖姿勢では開閉体の昇降動を許容し、扉体の開放姿勢では開閉体の昇降動を規制する規制手段が設けられていることを特徴とするものである。
【０００７】
また、前記規制手段は、扉体の開閉動作に連動して出没自在なロッドとガイドレールに設けられ前記ロッドが係止可能なロッド受部とで構成されていることを特徴とするものである。
【発明の効果】
【０００８】
請求項１，２の発明により、潜り戸付き開閉装置の開閉体は、潜り戸が閉鎖状態では開閉動作（上下昇降動）が可能であるが、潜り戸が開放状態では開閉動作が規制されるように構成し、潜り戸の不完全閉鎖状態で開閉体が上下昇降動をしてしまうことを防止するようにしたので、潜り戸の開放姿勢によって周辺に危険領域が生じたり開閉体の開放途中で潜り戸が開閉装置上部に衝突して破損したり或いは開閉体が開放不能となってしまうことを確実に防止することができる。
【発明を実施するための最良の形態】
【０００９】
つぎに、本発明をオーバーヘッドドアに適用した場合の実施の形態を図面に基づいて説明する。
【実施例１】
【００１０】
図面において、１はオーバーヘッドドアを構成する開閉体であって、該開閉体１は複数のパネル体１ａを蝶番１ｂによって屈曲自在に上下一連状に連結して形成されており、最下端パネル１ａの下端部には該パネル幅全長に亘ってボトムバー１ｃが取り付けられている。  また開閉体１の左右両側縁部の上下方向複数箇所には取付ブラケット２が固定され、これら取付ブラケット２にガイドローラ３が軸承されるローラ軸が支持されている。
一方、４は躯体開口部に建て付けられ、前記ガイドローラ３が嵌合案内されるガイドレールであって、該ガイドレール４は開口部両側に沿う垂直レール４ａと天井部に沿う水平レール４ｂとで側面視略Ｌ字状に構成されている。また、開口部上部には巻装装置５が配設されており、該巻装装置５に基端部が巻装されるワイヤ６の先端部は開閉体１の最下端パネル体１ａに連結され、開閉体１を吊持支持するようになっている。そして、垂直レール４ａに位置して開口部を閉鎖する開閉体１を上方に向けて開放操作することでワイヤ６はワイヤドラム５ａに巻き取られ、これによって開閉体１は、閉鎖姿勢から水平レール４ｂに移動して開口部を開放する開放姿勢に変姿するようになっている。これに対して、開閉体１を開放から閉鎖するには開閉体１を下方に向けて閉鎖操作することでなされ、これによってワイヤ６がワイヤドラム５ａから巻き出され開閉体１は開口部を閉鎖するようになっている。
【００１１】
７は、開閉体１に設けられ潜り戸を構成する扉体であって、該扉体７は開閉体１に人が通行可能な大きさの空間部８を形成し、該空間部８を開閉回動自在な扉体で閉塞するようにしたものであり次のように構成されている。
開閉体１を構成する各パネル体１ａの幅方向略中央部分を切り欠いて人の通行可能な空間部８を形成すると共に各パネル体１の切欠端面をそれぞれ塞ぎ部材９で覆うように構成されている。  塞ぎ部材９は、切欠端面に当てがって取り付けられる断面略コ字状の塞ぎ部９ａと、該塞ぎ部９ａの端部から空間部８側に向けて突出形成され扉体７の閉鎖時の衝撃を緩衝する緩衝材を備えた戸当たり部９ｂとで形成されている。また、上下隣接する各パネル体１ａは空間部８側の端部位置で蝶番１ｂによって上下屈曲自在に連結されている。
【００１２】
扉体７は、上記空間部８より僅かに小さい寸法に形成され、開閉体１を構成する各パネル体１ａと同一形状のパネル体１ａを蝶番１ｂを介して複数枚上下に屈曲自在に連結して構成されており、該扉体７の屈曲部と開閉体１を構成する各パネル体１ａの屈曲部とが左右方向同一線上に位置するようにして扉体蝶番１１を介して該空間部８に開閉回動自在な状態で嵌装されており、これによって開閉体１の屈曲時に扉体７も同時に屈曲して開閉体１の開閉動作に支障が無いように構成されている。なお、扉体７の戸先側端面にはフロント部材１０が設けられ、戸尻側端部は扉体蝶番１１を介して開閉体１の各パネル体１ａに固定されているが、フロント部材１０および扉体蝶番１１は扉体７の屈曲部でそれぞれ切断されて扉体７の屈曲に支障が無いように構成されている。  また、１２は扉体７の開閉用把手、１３は扉体７の閉鎖時に開閉体１に設けたラッチ受け９ｃに係止して閉鎖状態を保持するよう出没自在に構成されたラッチである。
【００１３】
このように構成された扉体７は、開閉体１が垂直レール４ａに位置する閉鎖姿勢と水平レール４ｂに位置する開放姿勢との移動過程において開閉体１と共に屈曲姿勢が可能であるのでスムースな昇降動作を確保することができ、また開閉体１の閉鎖姿勢では扉体７の開放操作により人の通行が可能となるものである。
【００１４】
図４および図５において、１４は最下端パネル１ａの下端部に取り付けられたボトムバー１ｃに内装される昇降規制手段（装置）であって、該昇降規制手段（装置）１４は、附座１５、作動バー１６、ロッド１７、連結バー１８およびロッド受部１９とで構成されている。
附座１５には先端部を直角方向に折曲形成した第一支持片１５ａと該第一支持片１５ａと離間対設した第二支持片１５ｂとが形成され、これら両支持片１５ａ，
１５ｂに同芯状の孔１５ｃ，１５ｄが穿設されている。  そして、孔１５ｃ，１５ｄには作動バー１６が上下方向摺動自在に嵌挿されている。
作動バー１６は先端部が半球状の円柱部材で構成され、先端から所定位置に前記孔１５ｃ，１５ｄより大径の太径部１６ａが形成されている。そして太径部１６ａを第一支持片１５ａと第二支持片１５ｂとの間に位置させた状態で上下摺動自在に挿通されると共に、太径部１６ａと第二支持片１５ｂとの間に作動バー１６の先端部を第一支持片１５ａの上面部より突出する方向に付勢する弾機１６ｂが装着されている。太径部１６ａが弾機１６ｂの付勢力を受けて第一支持片１５ａに当接することにより作動バー１６の先端部がそれ以上第一支持片１５ａより突出しないように構成されている。
また、作動バー１６の下端部はピン１８ａを介して連結バー１８の一端側に回動自在に連結され、さらに連結バー１８の他端側はピン１８ｂによって左右方向を向くロッド１７に回動自在に連結されている。
連結バー１８の長手方向略中央部には附座１５側に向けてガイド部１８ｃが突設され、該ガイド部１８ｃの先端部は附座１５側に穿設された左右方向に向く長孔１５ｅに挿入されて該長孔１５ｅ内を移動自在に構成されている。
【００１５】
叙述の如く構成された昇降規制装置１４は、附座１５の第一支持片１５ａ上面から突出した作動バー１６の先端部を弾機１６ｂの付勢力に抗して押圧し作動バー１６を下方に移動させると連結バー１８はガイド部１８ｃが附座１５側に穿設された長孔１５ｅに案内されて回動しながら移動することによって連結バー１８に連結されたロッド１７を矢印Ａ方向（図４の仮想線に示す）に移動させるようになっており、押圧力の消滅により弾機１６ｂの付勢力が復帰して作動バー１６の先端部が第一支持片１５ａ上面から突出しロッド１７を矢印Ｂ方向に移動させるようになっている。そして、作動バー１６の先端が第一支持片１５ａ上面から突出した状態ではロッド１７の先端部は後述のロッド受部１９の係止孔１９ａに係止し、作動バー１６の先端が第一支持片１５ａ上面から没入した状態ではロッド１７の先端部と上記係止孔１９ａとの係止状態が解除されるようになっている。
【００１６】
図６において、１９はロッド受部であって、該ロッド受部１９は断面略Ｚ状の長尺部材の長手方向に所定間隔を存して複数の係止孔１９ａを穿設して形成されており、建物開口部左右に立設した垂直レール４ａにロッド受部１９が穿設された面を前記ロッド１７の先端部に対向するように設けられている。
【００１７】
昇降規制装置１４は図１，図５に示す様に扉体７の閉鎖時において該扉体７の戸先側下端面に作動バー１６の先端部が対向するようボトムバー１ｃの上面１ｄから突出して内装されているが、その突出長さは扉体７を閉鎖する際に該扉体７の下端面が作動バー１６の半球状先端部を下方に押し下げることができるように設定されている。図５（Ａ）に示すように扉体７が開放状態では作動バー１６の先端部がボトムバー上面１ｄから上方に突出すると共にロッド１７は垂直レール４ａに設けられたロッド受部１９のいずれかの係止孔１９に係止して開閉体１の昇降動を規制し、図５（Ｂ）に示す様に扉体７の閉鎖状態では作動バー１６の先端部が扉体７の下端面によって押し下げられてロッド１７はロッド受部１９の係止孔１９から退避して係止状態が解除されると共に扉体７の閉鎖時にはラッチ１３がラッチ受け９ｃに係止することにより閉鎖状態が保持されて扉体７の全閉姿勢が確保され、開閉体１の昇降動を許容することができるようになる。
なお、２０は開閉体１の全閉時に床面に当接してボトムバー１ｃと床面との間の隙間の発生を防止すると共に、全閉時の衝撃を緩和するための気密ゴムである。
【００１８】
叙述の様に、扉体７の開放動に連動してロッド１７がロッド受部１９に係止して開閉体１の昇降動を規制するので扉体の不完全閉鎖状態で開閉体が上下昇降動をすることが防止でき、扉体の半開き状態による危険領域が生じたり開放途中で扉体が開閉装置上部に当接して破損したり開放不能となってしまうことを確実に防止することができる。
また、上記実施形態で示したように作動バー１６の先端部を扉体７の戸先側下端面に位置させて設けた場合には、扉体７がより全閉状態となるまで昇降動が規制されるので信頼性が高いものとなる。
【実施例２】
【００１９】
昇降規制手段１４は図７に示す第二実施例のように構成することもできる
図中２０は附座であって、該附座２０には左端部を直角方向に折曲形成した第一支持片２０ａと、該第一支持片２０ａに離間対設した第二支持片２０ｂとが形成され、これら両支持片２０ａ，２０ｂに水平方向同芯状の孔２０ｃ，２０ｄをそれぞれ穿設し、先端部が半球状で先端から所定位置に前記孔２０ｃ，２０ｄより大径の太径部２１ａが形成された作動バー２１を第一支持片２０ａと第二支持片２０ｂ間に位置させて左右方向摺動自在に挿通すると共に太径部２１ａと第二支持片２０ｂとの間に作動バー２１の先端部を第一支持片２０ａより突出する方向に付勢する付勢弾機２１ｂが介装されており、これらの構成は前記第一実施例に示したものと同様である。
作動バー２１の他端側には延長部材２２が延設されており、該延長部材２２の先端部に水平方向に複数の歯が刻設されたラック部２２ａが形成されている。
また、ロッド２３の基端部にも同様のラック部２３ａが延長部材２２のラック部２２ａに対向して刻設されて延長部材２２とロッド２３が略平行状に離間配設されている。ラック２２ａとラック２３ａ間には円周全面に歯が刻設されたピニオン２４が両ラック２２ａ，２３ａに噛合した状態で軸２４ａを介して回転自在にラック支承部材２５に設けられている。ラック支承部材２５は断面略コ字状に形成され延長部材２２とロッド２３の基端部を支持して両者の左右動を円滑にガイドさせるものである。
【００２０】
このように構成された昇降規制手段は図７において、作動バー２１の先端が附座２０の第一支持片２０ａから左側に突出した状態から押圧を受けて右方向（矢印Ｃ方向）に移動するとピニオン２４の回転作用を受けてロッド２３を左方向（矢印Ｄ方向）に移動させるようになっている。つまり、作動バー２１とロッド２３の移動方向はピニオン２４によって互いに反対方向に変換されるように構成されている。
また、ロッド２３先端に対向する垂直レール４ａには複数の係止孔１９ａを穿設したロッド受部１９が設けられており、作動バー２１の先端が第一支持片２０ａから突出した状態ではロッド２３先端が係止孔１９ａに係止し、作動バー２１の先端が第一支持片２０ａに没入した状態ではロッド２３先端が係止孔１９ａから係止解除されるように構成されている。
【００２１】
本第二実施例の昇降規制手段は、開閉体１の扉体７の戸先側対向面９ａから扉体７の戸先側端面に向けて作動バー２１の先端が突出するように設けられており、その突出長さは扉体７を閉鎖する際に該扉体７の戸先側端面が作動バー２１の半球状先端部を開閉体１方向に押し込んで全閉状態となることができるように設定されている。図３（Ａ）,図７に示すように扉体７の開放状態では作動バー２１の先端部は開閉体１の扉体７の戸先側対向面９ａから突出すると共にロッド２３は垂直レール４ａに設けられたロッド受部１９のいずれかの係止孔１９ａに係止して開閉体１の昇降動を規制し、図１に示す様に扉体７の閉鎖状態では作動バー２１の先端部が扉体７の戸先側端面で開閉体１方向に押し込まれてロッド２４はロッド受部１９の係止孔１９ａから退避して係止状態が解除されると共に扉体７の閉鎖時にはラッチ１３がラッチ受け９ｃに係止することにより閉鎖状態が保持されて扉体７の全閉姿勢が確保され、開閉体１の昇降動を許容することができるようになる。
【００２２】
尚、上記第二実施例では、開閉体１の扉体７の戸先側対向面９ａから扉体７の戸先側端面に向けて作動バー２１の先端が突出するようにしたが、開閉体１の扉体７の戸尻側対向面から扉体７の戸尻側端面に向けて作動バー２１の先端を突出するようにしてもよく、或いは開閉体１の扉体７の戸先側対向面９ａと戸尻側対向面の両方から作動バー２１の先端を突出すると共にロッド受部１９を左右の垂直レール４ａに設けて潜りと７の開放状態では作動バー２１が左右のロッド受部１９にそれぞれ係止するように構成して開閉体１の昇降動を規制するようにしてもよく、この場合にはより強固な規制を行うことができる。
【００２３】
また、本発明の実施形態において作動バーの先端部を半球状に形成したが、傾斜面で形成しても良く、要は扉体７の閉鎖の際に該扉体７の当接により、作動バーが弾機の付勢力に抗して没入方向に誘導されるような形状のものであればよい。
【図面の簡単な説明】
【００２４】
【図１】本発明に係る潜り戸付き開閉装置の背面側正面図である。
【図２】同上の側面図である。
【図３】潜り戸の開放状態におけるＸ−Ｘ断面図である。
【図４】昇降規制手段（装置）を示す図であって（Ａ）は正面図，（Ｂ）は            側面図である。
【図５】図１のＹ−Ｙ断面図であり、（Ａ）は潜り戸開放時における昇降            規制手段、（Ｂ）は潜り戸閉鎖時における昇降規制手段の作用図である。
【図６】垂直レールに取り付けられたロッド受部である。
【図７】第二実施例における昇降規制手段（装置）を示す図であって（Ａ）            は正面図，（Ｂ）は側面図である。
【符号の説明】
【００２５】
１    開閉体
１ａ  パネル体  
１ｃ  ボトムバー
４    ガイドレール
４ａ  垂直レール
７    扉体（潜り戸）
９    塞ぎ部材
１４    昇降規制手段（装置）
１５，２０      附座  
１６，２１      作動バー
１６ｂ，２１ｂ  弾機  
１７，２３      ロッド
１９    ロッド受部    
２４    ピニオン
【図１】
2008208682.tif 000003
【図２】
2008208682.tif 000004
【図３】
2008208682.tif 000005
【図４】
2008208682.tif 000006
【図５】
2008208682.tif 000007
【図６】
2008208682.tif 000008
【図７】
2008208682.tif 000009